(57)【特許請求の範囲】
【請求項１】
移動端末の手書きペンであって、前記手書きペンがヘッドホンを集積した手書きペンであり、前記手書きペンは、
ヘッドホンのプラグであるペン先と、
一端がペン先に固定接続され、もう一端がペンキャップに可動接続され、その内にヘッドフォンケーブルが設置され、前記ヘッドフォンケーブルの両端がそれぞれヘッドホンのプラグと耳栓に接続されたペン本体と、
前記ペン本体に可動的に合わせて接続され、その上に耳栓が設置されたペンキャップと、備え、
前記ペン本体内に前記ヘッドフォンケーブルを巻き付けるための合わせた巻線構造が接続設置され、
前記巻線構造は、
前記ペン本体に回転可能に接続された回転ベースと、
前記ペン本体内に設置され、その一端が前記回転ベースに接続され、且つねじ山により前記ヘッドフォンケーブルを巻き付ける回転スクリューと、を備えることを特徴とする移動端末の手書きペン。
【請求項２】
前記回転ベースが前記ペン本体の前記ペン先に近い一端に接続設置される請求項１に記載の手書きペン。
【請求項３】
前記ペンキャップとペン本体の間が差込接続である請求項１に記載の手書きペン。
【請求項４】
前記ペン本体が密閉ペン筒である請求項１に記載の手書きペン。
【請求項５】
前記ペンキャップが回転スクリューに接続し、回転スクリューと回転ベースの間がねじ山により接続され、ペンキャップを回転することによりヘッドフォンケーブルを回転スクリューの上に巻き付け、且つ回転スクリューと回転ベースの間の取り付け及び取り外しを実現すると同時に、ペンキャップとペン本体の間の取り付け及び取り外しを実現する請求項１に記載の手書きペン。
【請求項６】
前記巻線構造を採用して、前記耳栓を前記巻線構造の上に緊密に接続する請求項１に記載の手書きペン。
【請求項７】
前記ペン本体のペンキャップに近い所が開口であり、ペンキャップの上に階段が設置され、前記階段の外円周寸法が前記開口の内壁寸法と合わせて緊密な嵌め合いを実現する請求項１に記載の手書きペン。
【請求項８】
前記移動端末が携帯電話である請求項１に記載の手書きペン。
【発明の詳細な説明】
【技術分野】
【０００１】
本発明は、移動端末の手書きペンに関する。
【背景技術】
【０００２】
大画面タッチ携帯電話の使用が次第に普及することに従って、ユーザは手書きペンに対する需要量も次第に大きくなり、同時に手書きペンに対する機能要求も次第に多様化する傾向にある。
【０００３】
公共の場所で、他の人を邪魔しないために、ユーザは、携帯電話のオーディオとビデオの娯楽機能を使用するために、ヘッドホンを装着する必要がある場合がある。ヘッドホンの形状特徴により、現在、携帯電話と別々に携帯しなければならず、多くのユーザは、面倒にならないようにヘッドホンを持ち運ばなくて、ヘッドホンを長い時間に使用しなくてランダムに置くこととなり、ユーザが需要する場合に見付けることができないようになる。本発明出願の発明者は、ヘッドホンを携帯電話とセットとして携帯する構造様態ように設置すると、また客観的に携帯電話の製造コストを向上させ、マーチャントの経済利益を低下することを発見する。
【発明の概要】
【発明が解決しようとする課題】
【０００４】
本発明は移動端末の手書きペンを提供し、解決しようとする課題は、どのようにヘッドホンを集積することができ且つ構造が簡単である移動端末の手書きペンを提供することである。
【課題を解決するための手段】
【０００５】
上記問題を解決するために、本発明は移動端末の手書きペンを提供し、前記手書きペンはヘッドホンを集積した手書きペンであり、前記手書きペンは、
ヘッドホンのプラグであるペン先と、
一端がペン先に固定接続され、もう一端がペンキャップに可動接続され、その内にヘッドフォンケーブルが設置され、前記ヘッドフォンケーブルの両端がそれぞれヘッドホンのプラグと耳栓に接続されたペン本体と、
前記ペン本体に可動的に嵌め合わせて接続され、その上に耳栓が設置されたペンキャップと、備える。
【０００６】
本発明の手書きペンにおいて、前記ペン本体内に前記ヘッドフォンケーブルを巻き付けるための合わせる巻線構造が接続設置される。
【０００７】
本発明の手書きペンにおいて、前記巻線構造は、
前記ペン本体に回転可能に接続された回転ベースと、
前記ペン本体内に設置され、一端が前記回転ベースに接続され、且つねじ山により前記ヘッドフォンケーブルを巻き付ける回転スクリューと、を備える。
【０００８】
本発明の手書きペンにおいて、前記回転ベースが前記ペン本体の前記ペン先に近い一端に接続設置される。 
【０００９】
本発明の手書きペンにおいて、前記ペンキャップとペン本体の間が差込接続である。
【００１０】
本発明の手書きペンにおいて、前記ペン本体が密閉ペン筒である。
【００１１】
本発明の手書きペンにおいて、前記ペンキャップが回転スクリューとつながっており、回転スクリューと回転ベースの間がねじ山により接続され、ペンキャップを回転することによりヘッドフォンケーブルを回転スクリューに巻き付け、且つ回転スクリューと回転ベースの間に取り付け及び取り外しを実現すると同時に、ペンキャップとペン本体の間の取り付け及び取り外しを実現する。
【００１２】
本発明の手書きペンにおいて、前記巻線構造を採用して、前記耳栓を前記巻線構造の上に緊密に接続する。
【００１３】
本発明の手書きペンにおいて、前記ペン本体のペンキャップに近い所が開口であり、ペンキャップの上に階段が設置され、前記階段の外円周寸法が前記開口の内壁寸法と合わせて緊密な嵌め合いを実現する。
【００１４】
本発明の手書きペンにおいて、前記移動端末が携帯電話である。
【発明の効果】
【００１５】
本発明は、以下のメリットを有する：
１、本発明において、ペン先がヘッドホンプラグであり、ペンキャップの上に耳栓が設置され、ヘッドフォンケーブルをペン本体内に設置し、移動端末の手書きペン機能を実現するだけでなく、ヘッドホン機能を実現し、且つ便利に携帯し、該構造が簡単で、携帯電話の製造コストを増加しなく、且つ外観が美しい。
【００１６】
２、本発明のペン本体内に巻線構造を採用し、便利にヘッドフォンケーブルを巻き付けることができ、ヘッドフォンケーブルがペン本体内に混乱に巻き付けられ、破断が発生することを防止する。なお、該巻線構造を採用して、耳栓を該構造の上に緊密に接続することができ、一定の引っ張り力を形成し、ペンキャップがペン本体の上に意外に脱落することを防止することができ、ペンキャップを固定する役割を果たす。
【００１７】
３、本発明の構造が簡単で、製造コストが低く、且つ標準化の大量生産製造が易くなり、使用の広がりが便利になる。
【図面の簡単な説明】
【００１８】
【図１】図１は本発明のヘッドホンを集積した携帯電話の手書きペン構造の模式図を示す。
【図２】図２は本発明のヘッドホンを集積した携帯電話の手書きペンの横断構造模式図を示す。
【発明を実施するための形態】
【００１９】
本発明の目的、技術案及びメリットをより明確するために、以下、図面を参考して本発明の実施例を詳しく説明する。なお、衝突しない場合には、本出願における実施例及び実施例における特徴を互いに任意に組み合わせることができる。
【００２０】
本発明の手書きペンは例えば携帯電話などの移動端末に適用し、本実施例は携帯電話を例として説明し、なお、本発明の手書きペンは携帯電話に適用するが、それに限定しない。
【００２１】
図１に示すように、本発明実施例の移動端末の手書きペンは、ペン先１、ペン本体２及びペンキャップ３を備える。ペン先１は、タッチスクリーンの上に書き込むことに用いられ、ペン本体２は、ユーザが握って持つことを便利にし、ペンキャップ３は、ペン本体２を密閉し及び手書きペンを美観化することに用いられる。
【００２２】
ペン先１がヘッドホンプラグ５である。ヘッドホンプラグ５がオーディオに連通することができ、ヘッドホンプラグ５の外層が金属であり、直接に手書きペンのペン先１として使用することができ、即ち直接にヘッドホンプラグ５を使用して携帯電話のタッチスクリーンの上に手書き入力することができる。
【００２３】
ペン本体２の一端がペン先１に固定接続され、もう一端がペンキャップ３に可動接続される。ペン本体２の長さ及び太さが、握持及び携帯の便利に応じて設計される。ペン本体２の形状が常に円筒状、及び多角柱などであり、ペン本体２の材料として金属又はプラスチックを用いることができる。ペン本体２内にヘッドフォンケーブル４が設置され、ヘッドフォンケーブル４の両端がそれぞれヘッドホンプラグ５と耳栓６に接続される。ヘッドフォンケーブル４の長さがペン本体２の長さよりも大きく、ヘッドフォンケーブル４がペン本体２内に巻き付けられ、収納されることができ、使用する際、引き出すことができる。
【００２４】
ペンキャップ３がペン本体２に可動的に嵌め合わせて接続され、ペン本体２と一体に接続してもよく、便利に取り外して、単独的に使用してもよい。ペンキャップ３の上に耳栓６が設置され、該耳栓６が、ほかの耳栓と同じように、人の耳に適合的に収まるように設計される。ペン本体２と便利に急速接続されるように、耳栓６の上に接続構造を設置する。
【００２５】
本発明実施例において、ペン先１がヘッドホンプラグ５であり、ペンキャップ３の上に耳栓６を設置し、ヘッドフォンケーブル４をペン本体２内に設置し、携帯電話の手書きペン機能を実現するだけでなく、ヘッドホン機能を実現し、且つ便利に携帯し、該構造が簡単で、携帯電話の製造コストを増加しなく、且つ外観が美しい。
【００２６】
図２に示すように、本発明実施例において、ペン本体２内にヘッドフォンケーブル４を巻き付けるための合わせる巻線構造７が接続設置される。該巻線構造７は回転ベース８と回転スクリュー９を備え、回転ベース８がペン本体２に回転可能に接続され、回転スクリュー９がペン本体２内に設置され、回転スクリュー９の一端が回転ベース８に接続され、且つねじ山によりヘッドフォンケーブル４を巻き付ける。
【００２７】
回転ベース８の外側がペン本体２の外部に露出することができ、直接に該回転ベース８を回転すると、便利に回転スクリュー９を連動して回転させることができ、回転スクリュー９の上にねじ山を有するので、回転スクリュー９が回転する際、ヘッドフォンケーブル４を便利にねじ山に沿って巻き付けることができ、互いに絡み合うことを防止する。回転ベース８がペン本体２内に完全に包まれて覆われることもでき、ペン本体２を回転することにより回転ベース８を連動して回転させ、それにより回転スクリュー９を連動して回転させる。
【００２８】
本発明実施例において、回転ベース８がペン本体２のペン先１に近い一端に接続設置され、このように手書きペンの重心をペン先１の付近に設置することにより、書き込みに有利である。なお、回転ベース８がペン先１に近づくことは、人間の従来の操作慣行に符合し、操作が便利になる。
【００２９】
本発明実施例のペン本体２内に巻線構造７を採用して、便利にヘッドフォンケーブル４を巻き付けることができ、ヘッドフォンケーブル４がペン本体２内に混乱に巻き付けられ、破断が発生することを防止する。なお、該巻線構造７を採用して、耳栓６を該構造の上に緊密に接続し、一定の引っ張り力を形成し、ペンキャップ３がペン本体２の上に意外に脱落することを防止することができ、ペンキャップ３を固定する役割を果たす。
【００３０】
なお、ペンキャップ３と回転スクリュー９を接続させ、回転スクリュー９と回転ベース８の間がねじ山により接続される。使用する際、ペンキャップ３を回転して、ヘッドフォンケーブル４を回転スクリュー９の上に巻き付けることができる。回転スクリュー９と回転ベース８の間の取り付け及び取り外しを実現すると同時に、ペンキャップ３とペン本体２の間の取り付け及び取り外しも実現する。
【００３１】
本発明実施例において、ペンキャップ３とペン本体２の間が差込接続である。ペン本体２が密閉ペン筒であり、ペンキャップ３に近い所が開口１０であり、ペンキャップ３の上に階段１１が設置される。ペンキャップ３の上に階段１１の外円周寸法が開口１０所の内壁寸法と合わせて、緊密に嵌め合うことができ、それによりペンキャップ３とペン本体２の間を便利に差し込み抜き接続することを実現する。
【００３２】
以上をまとめて、以上は本発明の好ましい実施例だけであり、本発明の保護範囲を限定するものではないので、本発明の趣旨及び原則の内に作ったいずれの修正、同等置き換え、改善などは、いずれも本発明の保護範囲に含まれるものべきである。
【産業上の利用可能性】
【００３３】
本発明の構造が簡単で、製造コストが低く、且つ標準化の大量生産製造が易くなり、使用の広がりが便利になる。
【図１】
0005662592.tif 000002
【図２】
0005662592.tif 000003